(57)【要約】【課題】電源ラインなどから入力する外来ノイズの影響を低減できる電圧制御発振器を提供すること。【解決手段】  発振トランジスタ１１のベース・エミッタ間に第１の帰還コンデンサ１２を接続し、発振トランジスタ１１のエミッタ・コレクタ間に第２の帰還コンデンサ１３を接続し、発振トランジスタ１１のベース・コレクタ間にインダクタ１４を接続してコルピッツ発振回路を構成する。発振トランジスタ１１のコレクタと直流電源端子１８との間にコレクタバイアス抵抗３０を接続し、コンデンサ１９を介してコレクタバイアス抵抗３０の一端を接地する。発振トランジス１１のコレクタとベースとの間にチョークインダクタ３１とコンデンサ３２とが直列に接続されたフィルタ回路を接続する。【選択図】図１
2010278734.tif 000002
【特許請求の範囲】
【請求項１】
発振トランジスタを有する発振回路と、
前記発振トランジスタのエミッタ・接地間に接続されるエミッタ抵抗と、
前記発振トランジスタのコレクタ・電源間に接続されるコレクタ抵抗と、
前記コレクタ抵抗とグランドとの間に設けられるバイパスコンデンサと、
前記発振トランジスタのコレクタ・ベース間に設けられるフィルタ回路と、を具備することを特徴とする電圧制御発振器。
【請求項２】
発振トランジスタを有する発振回路と、
前記発振トランジスタのエミッタ・接地間に接続されるエミッタ抵抗と、
前記発振トランジスタのコレクタ・電源間に接続されるコレクタ抵抗と、
前記コレクタ抵抗とグランドとの間に設けられるバイパスコンデンサと、
前記発振トランジスタのコレクタ・エミッタ間に設けられるフィルタ回路と、を具備することを特徴とする電圧制御発振器。
【請求項３】
前記発振回路は、
前記発振トランジスタのベース・エミッタ間に接続される第１の帰還コンデンサと、
前記発振トランジスタのエミッタ・接地間に接続される第２の帰還コンデンサと、
前記発振トランジスタのベース・接地間に接続されるインダクタとを備えるコルピッツ型発振回路であることを特徴とする請求項１または請求項２記載の電圧制御発振器。
【請求項４】
前記発振回路は、
前記発振トランジスタのベース・接地間に設けられるベースコンデンサと、
前記発振トランジスタのベース・エミッタ間に接続される第１の帰還コンデンサと、
前記発振トランジスタのエミッタ・接地間に接続される第２の帰還コンデンサと、
前記コレクタ・接地間に接続されるインダクタとを備えるコルピッツ型発振回路であることを特徴とする請求項１または請求項２記載の電圧制御発振器。
【請求項５】
前記フィルタ回路は、ノイズの周波数帯域を通過させる帯域通過フィルタであること特徴とする請求項１から請求項４のいずれかに記載の電圧制御発振器。
【請求項６】
前記フィルタ回路は、フィルタ用インダクタと、フィルタ用キャパシタと、前記コレクタ抵抗とが直列に接続された直列共振回路からなることを特徴とする請求項５記載の電圧制御発振器。
【請求項７】
前記フィルタ回路は、発振周波数の帯域を遮断する帯域除去フィルタであることを特徴とする請求項１から請求項４のいずれかに記載の電圧制御発振器。
【請求項８】
前記フィルタ回路は、前記帯域除去フィルタを構成しているフィルタ用インダクタ及びフィルタ用キャパシタが信号線路とグランドとの間に直列に接続されていることを特徴とする請求項７記載の電圧制御発振器。
【発明の詳細な説明】
【技術分野】
【０００１】
本発明は、発振周波数を電圧制御する電圧制御発振器に関する。
【背景技術】
【０００２】
従来、制御電圧によって発振周波数を制御する電圧制御発振器が知られている。図５は、従来の電圧制御発振器の構成図である。同図に示す電圧制御発振器１０は、発振トランジスタ１１のエミッタ・ベース間に第１の帰還コンデンサ１２が接続され、発振トランジスタ１１のコレクタ・エミッタ間に第２の帰還コンデンサ１３が接続されている。発振トランジスタ１１のベース・コレクタ間にインダクタ１４が接続されている。
【０００３】
発振トランジスタ１１のエミッタは、エミッタバイアス抵抗１５を介して接地されると共に、直流カットコンデンサ１６を介して出力端子１７（ＯＳＣｏｕｔ）に接続されている。発振トランジスタ１１のコレクタは、直流電源端子１８（Ｖｃｃ）に接続されると共に、コンデンサ１９を介して高周波的に接地されている。発振トランジスタ１１のベースは、分圧用抵抗２０を介して直流電源端子１８が接続されると共に、分圧用抵抗２１を介して接地されている。また、発振トランジスタ１１のベースには直流カットコンデンサ２２を介して共振回路２３が接続されている。
【０００４】
共振回路２３は、ストリップラインで構成されるインダクタ１４とコンデンサ２４とを並列接続してなる並列共振回路として構成されている。インダクタ１４の一端及びコンデンサ２４の一端が接続され、インダクタ１４の他端及びコンデンサ２４の他端はそれぞれ接地されている。また、並列共振回路２３には、コンデンサ２５を介してバラクタダイオード２６が並列に接続されている。コンデンサ２５とバラクタダイオード２６の接続点には、チョーク用インダクタ２７を介して電圧制御端子２８（Ｖｃｔｌ）が接続されている。また、電源制御端子２８はバイパスコンデンサ２９を介して接地されている。
【０００５】
以上のように構成された、電圧制御発振器１０は、バラクタダイオード２６のカソードに印加された電圧制御信号Ｖｃｔｌに応じて、共振回路２３の共振周波数が制御され、共振信号が発振用トランジスタ１１のベースに印加される。そして、発振用トランジスタ１１のエミッタから発振信号が直流カットコンデンサ１６を介して出力される。
【０００６】
ところで、電圧制御発振器のスプリアスを抑える方法として、バラクタダイオードに加えられる制御電圧の変化幅を抑えることにより、スプリアスの発生を抑制した電圧制御発振器が知られている（例えば、特許文献１参照）。
【先行技術文献】
【特許文献】
【０００７】
【特許文献１】特開２００６−３５２４２３号公報
【発明の概要】
【発明が解決しようとする課題】
【０００８】
しかしながら、従来の電圧制御発振器では、発振トランジスタのコレクタに接続された電源ラインから入力する外来ノイズの影響を抑えることができなかった。
【０００９】
本発明は、かかる点に鑑みてなされたものであり、電源ラインなどから入力する外来ノイズの影響を低減できる電圧制御発振器を提供すること目的とする。
【課題を解決するための手段】
【００１０】
本発明の電圧制御発振器は、発振トランジスタを有する発振回路と、前記発振トランジスタのエミッタ・接地間に接続されるエミッタ抵抗と、前記発振トランジスタのコレクタ・電源間に接続されるコレクタ抵抗と、前記コレクタ抵抗とグランドとの間に設けられるバイパスコンデンサと、前記発振トランジスタのコレクタ・ベース間に設けられるフィルタ回路と、を具備することを特徴とする。
【００１１】
この構成によれば、発振信号に含まれるノイズ成分をこのノイズ成分と位相が異なるノイズ成分を相殺することができるので、発振信号のノイズ成分を低減することができる。また、フィルタ特性の調整によりフィルタ回路を通過するノイズ成分の周波数帯域を選択できるので、発振周波数成分を減衰することなくノイズ成分を低減できる。
【００１２】
本発明の電圧制御発振器は、発振トランジスタを有する発振回路と、前記発振トランジスタのエミッタ・接地間に接続されるエミッタ抵抗と、前記発振トランジスタのコレクタ・電源間に接続されるコレクタ抵抗と、前記コレクタ抵抗とグランドとの間に設けられるバイパスコンデンサと、前記発振トランジスタのコレクタ・エミッタ間に設けられるフィルタ回路と、を具備することを特徴とする。
【００１３】
この構成によれば、発振信号に含まれるノイズ成分をこのノイズ成分と位相が異なるノイズ成分で相殺することができるので、発振信号のノイズ成分を低減することができる。また、フィルタ特性の調整によりフィルタ回路を通過するノイズ成分の周波数帯域を選択できるので、発振周波数成分を減衰することなくノイズ成分を低減できる。
【００１４】
また、本発明は、上記電圧制御発振器において、前記発振回路は、前記発振トランジスタのベース・エミッタ間に接続される第１の帰還コンデンサと、前記発振トランジスタのエミッタ・接地間に接続される第２の帰還コンデンサと、前記発振トランジスタのベース・接地間に接続されるインダクタとを備えるコルピッツ型発振回路であることを特徴とする。
【００１５】
この構成によれば、コルピッツ型の発振回路で構成することができるので、正弦波に近い波形の発振信号を得ることができる。
【００１６】
また、本発明は、上記電圧制御発振器において、前記発振回路は、前記発振トランジスタのベース・接地間に設けられるベースコンデンサと、前記発振トランジスタのベース・エミッタ間に接続される第１の帰還コンデンサと、前記発振トランジスタのエミッタ・接地間に接続される第２の帰還コンデンサと、前記コレクタ・接地間に接続されるインダクタとを備えるコルピッツ型発振回路であることを特徴とする。
【００１７】
この構成によれば、ベース接地型のコルピッツ型発振回路においても、発振信号に含まれるノイズ成分をこのノイズ成分と位相が異なるノイズ成分で相殺することができるので、発振信号のノイズ成分を低減することができる。
【００１８】
また、本発明は、上記電圧制御発振器において、前記フィルタ回路は、ノイズの周波数帯域を通過させる帯域通過フィルタであること特徴とする。
【００１９】
この構成によれば、ノイズ成分の周波数帯域を選択的に通過させることができるので、発振周波数の減衰を抑制できると共に、発振信号に重複するノイズ成分を相殺することができる。
【００２０】
また、本発明は、上記電圧制御発振器において、前記フィルタ回路は、フィルタ用インダクタと、フィルタ用キャパシタと、前記コレクタ抵抗とが直列に接続された直列共振回路からなることを特徴とする。
【００２１】
この構成によれば、直列共振回路で除去できる周波数帯域を拡大することができるので、ノイズを除去できる周波数帯域を拡大することができる。
【００２２】
また、本発明は、上記電圧制御発振器において、前記フィルタ回路は、発振周波数の帯域を遮断する帯域除去フィルタであることを特徴とする。
【００２３】
この構成によれば、発振周波数の帯域を選択的に除去することができるので、発振信号の減衰を抑制することができると共に、ノイズ成分を相殺することができる。
【００２４】
また、本発明は、上記電圧制御発振器において、前記フィルタ回路は、前記帯域除去フィルタを構成しているフィルタ用インダクタ及びフィルタ用キャパシタが信号線路とグランドとの間に直列に接続することができる。この構成によれば、簡素な回路構成で帯域除去フィルタ回路を構成することができる。
【発明の効果】
【００２５】
本発明によれば、電源ラインなどから入力する外来ノイズの影響を低減できる電圧制御発振器を提供すること目的とする。
【図面の簡単な説明】
【００２６】
【図１】本発明の第１の実施の形態に係る電圧制御発振器の構成図である。
【図２】本発明の第１の実施の形態の変形例に係る電圧制御発振器の構成図である。
【図３】本発明の第１の実施の形態の他の変形例に係る電圧制御発振器の構成図である。
【図４】本発明の第２の実施の形態に係る電圧制御発振器の構成図である。
【図５】従来技術の電圧制御発振器の構成図である。
【発明を実施するための形態】
【００２７】
以下、本発明の実施の形態について添付図面を参照して詳細に説明する。
【００２８】
（第１の実施の形態）
図１は、第１の本実施の形態に係る電圧制御発振器の構成図である。同図に示すように、本実施の形態に係る電圧制御発振器１は、発振トランジスタ１１と、発振トランジスタ１１のエミッタ・ベース間に接続される第１の帰還コンデンサ１２と、発振トランジスタ１１のエミッタ・コレクタ間に接続される第２の帰還コンデンサ１３と、発振トランジスタ１１のコレクタ・ベース間に接続されるインダクタ１４とを備えるコレクタ接地型のコルピッツ発振回路として構成されている。但し、本発明は、コルピッツ型の発振回路に限定されるものではなく、発振トランジスタを備えた発振回路であれば適用可能である。
【００２９】
発振トランジスタ１１のコレクタと電源端子１８（Ｖｃｃ）との間には、コレクタバイアス抵抗３０が接続されている。コレクタバイアス抵抗３０の一端は発振トランジスタ１１のコレクタに接続され、他端は電源端子１８に接続されると共に、コンデンサ１９を介して接地されている。また、発振トランジスタ１１のコレクタは、フィルタ回路３１を介して発振トランジスタ１１のベースに接続されている。フィルタ回路３１は、発振トランジスタ１１のコレクタに一端が接続されたチョークインダクタ３２とチョークインダクタ３２の他端に一方の電極が接続され、他方の電極が発振トランジスタ１１のベースに接続されたコンデンサ３３とからなる直列共振回路で構成されている。このように、電圧制御発振器１は、発振トランジスタ１１のコレクタ・ベース間及びエミッタ・ベース間の双方に互いの位相が反転する信号をフィードバックする経路がそれぞれ設けられている。
【００３０】
フィルタ回路３１は、ＬＣ直列共振回路で構成されており、通過帯域を電源ラインから発振トランジスタ１１のエミッタへ入力する外来ノイズの帯域に合わせるように調整する。なお、フィルタ回路３１をローパスフィルタで構成した場合は、発振周波数より低い周波数を通過させるようにしても良い。その他の構成に関しては、図５に示す電圧制御発振器１０と同一に構成されているので、同一の符号を付し、説明を省略する。
【００３１】
次に、本実施の形態に係る電圧制御発振器１の動作について説明する。発振トランジスタ１１のベースには、共振回路２３に印加された電圧制御信号Ｖｃｔｌに応じた共振周波数信号が印加される。発振トランジスタ１１は、ベースに印加された共振信号によって発振動作する。発振トランジスタ１１のコレクタ・エミッタ間には、ベースに印加された共振信号に応じた電流が流れ、エミッタから発振信号が取り出される。この時、発振信号の一部は、発振トランジスタ１１のエミッタ側に設けられているコンデンサ１２を介して発振トランジスタ１１のベースに帰還される。電源ラインから入力する外来ノイズは、発振トランジスタ１１のコレクタ・エミッタ間を通って位相反転され、コンデンサ１２を介してベースへ入力される。この時電源ラインから入力してフィルタ回路３１側へ分岐した外来ノイズは、位相反転されずにフィルタ回路３１を通って同じくベースへ入力される。
【００３２】
フィルタ回路３１を通ってベースへ入力された外来ノイズは、位相反転されていないので、帰還回路経由でベースに入力する位相反転した外来ノイズとフィルタ回路３１経由でベース入力する外来ノイズとが相殺される。その結果、発振トランジスタ１１のベースに印加される共振信号から外来ノイズが除去され、ノイズの影響を受けない発振信号が直流カットコンデンサ１６を介して出力される。なお、フィルタ回路３１によって、ノイズ成分の周波数帯域のみが通過するように設定されているので、発振周波数成分は減衰されることがなく、ノイズ成分のみを除去することができる。
【００３３】
このように、本実施の形態においては、電源ラインから入力する外来ノイズを位相反転させずにフィルタ回路３１を介して発振トランジスタ１１のベースへ入力するように構成している。このため、発振トランジスタ１１を通って位相反転した状態でベースへ帰還される外来ノイズを位相反転しない外来ノイズで相殺できるので、外来ノイズを抑えることができ、外来ノイズに影響されない電圧制御発振器１を構成することができる。
【００３４】
次に、図２を参照して発振制御回路の変形例を説明する。電圧制御発振器２は、発振トランジスタ１１のコレクタ・エミッタ間にフィルタ回路３４を接続した例である。フィルタ回路３４は、インダクタ３５とコンデンサ３６からなるＬＣ直列共振回路として構成される。インダクタ３５の一端が、発振トランジスタ１１のコレクタに接続され、他端がコンデンサ３６の一方の電極に接続されている。コンデンサ３６の他方の電極は、発振トランジス１１のエミッタに接続されている。フィルタ回路３４は、上記フィルタ回路３１と同様のフィルタ特性を持たせている。その他の部分に関しては、図１に示す電圧制御発振器１と同様に構成されているので、同一の符号を付し、説明を省略する。
【００３５】
次に、電圧制御発振器２の動作について説明する。電源ラインから入力する外来ノイズは、発振トランジスタ１１のコレクタ・エミッタ間を通って位相反転される。また、外来ノイズの一部は、発振トランジスタ１１を介さずに、フィルタ回路３４を通ってエミッタ側に伝送される。そして、発振トランジスタ１１のエミッタ側から出力された位相反転を伴う外来ノイズとフィルタ回路３４経由で位相反転せずにエミッタ側に伝送される外来ノイズとが相殺される。その結果、発振トランジスタ１１のベースに印加される共振信号から外来ノイズが除去され、ノイズの影響を受けない発振信号が直流カットコンデンサ１６を介して出力される。
【００３６】
このように、発振トランジスタ１１のコレクタ・エミッタ間にフィルタ回路３４を接続した場合においても、電源ラインから入力する外来ノイズの一部を位相反転させずにエミッタ側に伝えて位相反転した外来ノイズと相殺できるので、発振トランジスタ１１のベースへ帰還される信号から外来ノイズを除去することができる。
【００３７】
次に、図３を参照して他の変形例を説明する。本変形例の電圧制御発振器３は、発振トランジスタ１１のコレクタ・ベース間にトラップ回路３７が接続されている。トラップ回路３７は、直列に接続されたコンデンサ３８、３９と、コンデンサ３８、３９の接続点と接地間との間に直列接続されるインダクタ４０及びコンデンサ４１とからなる直列回路とで構成されている。コンデンサ３８の一方の電極は、発振トランジスタ１１のコレクタに接続され、他方の電極はコンデンサ３９の一方の電極に接続されている。コンデンサ３９の他方の電極は、発振トランジスタ１１のベースに接続されている。インダクタ４０の一端は、コンデンサ３８の他方の電極とコンデンサ３９の一方の電極との接続点に接続され、他端がコンデンサ４１を介して高周波的に接地されている。トラップ回路３７は、発振周波数にトラップ位置が設定されており、発振周波数成分以外の信号を発振トランジスタ１１のベース側へ通過させる。その他の部分に関しては、図１に示す電圧制御発振器１と同様に構成されているので、同一の符号を付し、説明を省略する。
【００３８】
次に、電圧制御発振器３の動作について説明する。電源ラインから入力する外来ノイズは、発振トランジスタ１１のコレクタ・エミッタ間を通って位相反転され、帰還コンデンサ１２を介してベースに入力される。また、電源ラインから入力した外来ノイズの一部は、トラップ回路３７に入力する。トラップ回路３７では、発振周波数成分を抑圧して阻止し、発振周波数以外の帯域に存在する外来ノイズは、トラップ回路３７を通って発振トランジスタ１１のベースに入力される。
【００３９】
トラップ回路３７を通ってベースへ入力された外来ノイズは、位相反転されていないので、帰還回路経由でベースに入力する位相反転ノイズとトラップ回路３７経由でベース入力する外来ノイズとが相殺される。その結果、発振トランジスタ１１のエミッタから外来ノイズが除去された発振信号が直流カットコンデンサ１６を介して出力される。また、トラップ回路３７のフィルタ特性として発振周波数帯域をトラップするように設定することにより、発振信号が相殺されることなく、ノイズ成分のみを除去することができる。
【００４０】
このように、発振トランジスタのコレクタ・ベース間にトラップ回路３７を接続した場合においても、電源ラインから入力する外来ノイズを抑えることができる。
【００４１】
また、本発明の実施の形態１においては、直列共振回路（フィルタ回路）とコレクタバイアス抵抗とを直列に接続し、コレクタバイアス抵抗の抵抗値を調整することにより、直列共振回路で除去できる周波数帯域を拡大することができる。
【００４２】
（第２の実施の形態）
次に、本発明の第２の実施の形態について説明する。図４は、本発明の第２の実施の形態に係る電圧制御発振器４の構成図である。同図に示すように、電圧制御発振器４は、ベース接地型のコルピッツ発振回路として構成され、共振回路２３より前段の部分に関しては、電圧制御発振器１と同様に構成されている。
【００４３】
本実施の形態においては、発振トランジスタ５１のベースは、接地用コンデンサ５４を介して高周波的に接地されている。発振トランジスタ５１のコレクタはコンデンサ２２を介して共振回路２３に接続され、発振トランジスタ５１のエミッタは、直流カットコンデンサ５２を介して出力端子５３に接続されている。発振トランジスタ５１のベースは、分圧用抵抗５５を介して電源端子１８に接続されると共に、分圧抵抗５６を介して接地されている。発振トランジスタ５１のエミッタ・ベース間は、コンデンサ５７を介して接続されている。また、発振トランジスタ５１のコレクタ・ベース間は、コンデンサ５８を介して接続されている。発振トランジスタ５１のコレクタ・エミッタ間は、コンデンサ５９を介して接続されている。
【００４４】
発振トランジスタ５１のコレクタは、インダクタ６０及びコレクタバイアス抵抗６１を直列に介して電源１８に接続されている。インダクタ６０の一端は、発振トランジスタ５１のコレクタに接続され、他端がコレクタバイアス抵抗６１の一端に接続されている。コレクタバイアス抵抗６１の他端は、電源端子１８に接続されると共に、コンデンサ６２を介して高周波的に接地されている。
【００４５】
コレクタバイアス抵抗６１とインダクタ６０との接続点は、フィルタ回路６３を介して発振トランジスタ５１のエミッタに接続されている。フィルタ回路６３は、インダクタ６４と、コンデンサ６５とからなるＬＣ直列共振回路として構成されている。フィルタ回路６３は、フィルタ特性を電源ラインから発振トランジスタ５１のエミッタへ入力する外来ノイズの帯域に合わせたフィルタ特性を有する。インダクタ６４とコンデンサ６５との接続点は、抵抗６６の一端が接続され、抵抗素子６６の他端は接地されている。
【００４６】
次に、第２の実施の形態に係る電圧制御発振器４の動作について説明する。共振回路２３が、電圧制御信号Ｖｃｔｌに応じた共振周波数の信号を発振トランジスタ５１のコレクタに印加する。発振トランジスタ５１は、コレクタに印加された共振信号によって発振する。
【００４７】
電源ラインから入力する外来ノイズは、コレクタバイアス抵抗６１及びインダクタ６０を介して発振トランジスタ５１のコレクタ・エミッタ間を通って位相反転されてエミッタ側より出力される。また、この時電源ラインから入力してフィルタ回路６３に分岐した外来ノイズは、フィルタ回路６３を通って発振トランジスタ５１エミッタ側に伝送される。フィルタ回路６３は、ノイズ成分だけ通過して発振周波数成分を阻止するフィルタ特性となっているので、電源ラインからのノイズは通すが、コレクタ側の発振周波数成分の通過を阻止する。
【００４８】
フィルタ回路６３を通って発振トランジスタ５１のエミッタ側へ伝送された外来ノイズは、位相反転されていないので、発振トランジスタ５１経由で出力される位相反転外来ノイズとフィルタ回路６３経由で入力する外来ノイズとが相殺される。その結果、外来ノイズが除去された発振信号が直流カットコンデンサ５２を介して出力される。なお、フィルタ回路６３は、ノイズ成分の周波数帯域のみが通過するように設定することにより、発振信号が相殺されることなく、ノイズ成分のみを除去することができる。
【００４９】
このように、ベース接地型のコルピッツ発振回路で構成される電圧制御発振回路においても電源ラインから入る外来ノイズを抑えることができ、外来ノイズに影響されない電圧制御発振器を構成することができる。
【００５０】
なお、本実施の形態においては、フィルタ回路６３のインダクタ６４として、発振トランジスタ５１のエミッタ接地に用いられているインダクタ６４を利用しているので、部品点数を削減できうる。また、コレクタ側のインダクタ６０及び、エミッタ側のインダクタ６４の抵抗値の比率を調整することにより、電源ラインから入力するノイズを調整することができるので、ノイズ除去効率を向上させることができる。
【００５１】
また、本発明の実施の形態２においては、直列共振回路（フィルタ回路）とコレクタバイアス抵抗とを直列に接続し、コレクタバイアス抵抗の抵抗値を調整することにより、直列共振回路で除去できる周波数帯域を拡大することができる。
【００５２】
なお、以上説明した電圧制御発振器１〜４において、帰還コンデンサは、ディスクリート部品ではなく、基板のパターンや、発振トランジスタ１１のコレクタ・エミッタ間の容量差により構成することができる。このため、回路を安価に構成できると共に簡素に構成することができる。
【００５３】
本発明は上述した実施の形態及びその変形例に限定されるものではない。その他、本発明の要旨を逸脱しない範囲において種々変形実施可能である。
【符号の説明】
【００５４】
１、２、３、４、１０  電圧制御発振器
１１、５１  発振トランジスタ
１２、１３  帰還コンデンサ
１４、２７、３２、３５、４０、６０、６４  インダクタ
１５、２０、２１、３０、５５、５６、６１、６６  抵抗
１６、１９、２２、２４、２５、２９、３３、３６、３８、３９、４１、５２、５４、
５７〜５９、６２、６５  コンデンサ
１７、５３  出力端子
１８、２８  電源端子
２３  共振回路
２６  バラクタダイオード
３１、３４、６３  フィルタ回路
３７  トラップ回路
【図１】
2010278734.tif 000003
【図２】
2010278734.tif 000004
【図３】
2010278734.tif 000005
【図４】
2010278734.tif 000006
【図５】
2010278734.tif 000007